(57)【特許請求の範囲】
【請求項１】
外装ケースと、
前記外装ケースに収納され、時刻を表示する時刻表示部と、
前記時刻表示部の周囲に配置された環状のアンテナ体とを備え、
前記アンテナ体は、
誘電体で形成された環状の基材と、
前記基材に設けられ、導電性を有し、第１の給電部から所定の電位が給電される帯状の第１の給電素子と、
前記基材に設けられ、導電性を有し、第２の給電部から所定の電位が給電される帯状の第２の給電素子と、を有し、
前記第１の給電素子で受信された電波信号を処理する第１の無線ＩＣチップと、
前記第２の給電素子で受信された電波信号を処理する第２の無線ＩＣチップと
を備え、
前記環状の基材を垂直方向から平面視したとき、前記第１及び第２の無線ＩＣチップは、前記環状の基材を二分した半円弧内にそれぞれ配置されている
ことを特徴とする腕装着型機器。
【請求項２】
前記環状の基材を垂直方向から平面視したとき、前記第１及び第２の給電素子は、重ならない位置にそれぞれ配置されている
ことを特徴とする請求項１に記載の腕装着型機器。
【請求項３】
導電性を有し、環状又は帯状の無給電素子が、前記第１及び第２の給電素子と離間して設けられている
ことを特徴とする請求項１又は２に記載の腕装着型機器。
【請求項４】
前記環状の基材を垂直方向から平面視したとき、前記第１の給電部は、前記第１の給電素子の領域内に配置され、前記第２の給電部は、前記第２の給電素子の領域内に配置されるとともに、前記第１及び第２の給電素子は、重ならない位置にそれぞれ配置されている
ことを特徴とする請求項１乃至３のうちいずれか１項に記載の腕装着型機器。
【請求項５】
前記第１の給電素子の給電部又は第２の給電素子の給電部は、前記時刻表示部分の３時から９時までの範囲内に配置されて、位置情報衛星からの電波を受信することを特徴とする請求項１乃至４のうちいずれか１項に記載の腕装着型機器。
【請求項６】
前記第１又は第２の給電素子のうち、受信電力が他方の給電素子よりも低い給電素子が前記時刻表示部分の３時から９時までの範囲内に配置されていることを特徴とする請求項１乃至４のうちいずれか１項に記載の腕装着型機器。
【請求項７】
誘電体で形成された環状の基材と、
導電性を有し、第１の給電部から所定の電位が給電される帯状の第１の給電素子と、
導電性を有し、第２の給電部から所定の電位が給電される帯状の第２の給電素子と
を有し、
前記第１の給電素子で受信された電波信号を処理する第１の無線ＩＣチップと、
前記第２の給電素子で受信された電波信号を処理する第２の無線ＩＣチップと
を備え、
前記環状の基材を垂直方向から平面視したとき、前記第１及び第２の無線ＩＣチップは、前記環状の基材を二分した半円弧内にそれぞれ配置されている
ことを特徴とするアンテナ体。
【請求項８】
前記環状の基材を垂直方向から平面視したとき、前記第１及び第２の給電素子は、重ならない位置にそれぞれ配置されている
ことを特徴とする請求項７に記載のアンテナ体。
【請求項９】
導電性を有し環状又は帯状の無給電素子が、前記第１及び第２の給電素子と離間して設けられている
ことを特徴とする請求項７又は８に記載のアンテナ体。
【発明の詳細な説明】
【技術分野】
【０００１】
本発明は、アンテナを内蔵した腕装着型機器及びこの腕装着型機器に内蔵されるアンテナ体に関する。
【背景技術】
【０００２】
一般的に、アンテナを内蔵した腕装着型機器では、受信する周波数又は無線システムに合わせ、受信すべき電波に対してアンテナを１対１で備えており、受信感度を確保するとともに文字板の装飾性を確保するために、ＧＰＳ（Ｇｌｏｂａｌ  Ｐｏｓｉｔｉｏｎｉｎｇ  Ｓｙｓｔｅｍ）ソーラー用のリングアンテナが設けられている（例えば、特許文献１参照）。
【０００３】
この特許文献１には、外装ケースに収納された文字板の周囲に、環状のアンテナ体を配置し、給電部からアンテナ体に給電する構成が開示されている。このアンテナ体は、誘電体で形成された環状の基材と、給電部で給電される円弧状の給電素子とを有し、環状の無給電素子を、ダイヤルリングとカバーガラスとの間に配置して円偏波を受信するようにしている。この特許文献１に開示された円弧状の給電素子はＧＰＳ用の１周波数に１対１の関係で設けられている。
【先行技術文献】
【特許文献】
【０００４】
【特許文献１】特開２０１４−６２８４４号公報
【発明の概要】
【発明が解決しようとする課題】
【０００５】
ところで、近年では、Ｂｌｕｅｔｏｏｔｈ（登録商標）等の近距離無線通信を腕装着型機器に用いる場合があり、受信可能な周波数や無線システムを増やしてさらなる多機能化を実現する傾向にある。しかしながら、上述した特許文献１に開示された腕装着型機器では、例えば、ＧＰＳ信号を受信するリングアンテナとは別に、近距離無線通信用の２．４ＧＨｚ帯のチップアンテナを追加する必要がある。
【０００６】
しかしながら、アンテナ用のリングをそれぞれの周波数や無線システム毎に複数設ける場合、複数枚重ねたときには、その分の厚みが増すとともに下方に配置されたアンテナの受信感度が低下する結果となり、一方、重複しないように配置するためには同心円状に配置することとなり、文字板等の表示領域がリングにより狭められて視認性・装飾性が低下される結果となる。
【０００７】
一方、チップ自体は回路基板へ実装が必要であることから、装飾性を確保するためには、チップアンテナを文字板の下に配置しなければならず、文字板によって受信感度が低下することとなる。その一方で、チップアンテナの感度を確保するために、文字板上面に配置すれば装飾性が低下することとなる。
【０００８】
本発明は、上述した事情に鑑みてなされたものであり、受信感度と視認性・装飾性の双方を確保しつつ、対応可能な周波数や無線システムを増やしてさらなる多機能化を図ることができる腕装着型機器を提供することを、その課題とする。
【課題を解決するための手段】
【０００９】
以上の課題を解決するため、本発明に係る腕装着型機器は、外装ケースと、前記外装ケースに収納され、時刻を表示する時刻表示部と、前記時刻表示部の周囲に配置された環状のアンテナ体とを備え、前記アンテナ体は、誘電体で形成された環状の基材と、前記基材に設けられ、導電性を有し、第１の給電部から所定の電位が給電される帯状の第１の給電素子と、前記基材に設けられ、導電性を有し、第２の給電部から所定の電位が給電される帯状の第２の給電素子とを有することを特徴とする。
【００１０】
以上の構成によれば、受信電波の周波数や無線システム毎に、少なくとも２つのアンテナとして、第１及び第２の給電素子をそれぞれ設け、これらの給電素子を帯状（環状の一部を切り欠いた形状）とすることにより、共通の環状の基材上に配置することができる。この結果、基材の個数が増加するのを回避でき、複数の基材を設ける場合の厚みの増大や表示領域の低減を回避でき、視認性・装飾性も確保することができる。また、無線ＩＣチップは、給電部から給電ピン等を介してアンテナ体から分離して文字板等の時刻表示部の視認方向下側に配置することができるため、受信感度を確保しつつ、装飾性の低下を回避することができる。
【００１１】
なお、本発明において「時刻表示部」は、例えば、文字板の上で指針軸を中心に指針を周回させて時刻を指し示す態様の他、例えば、文字板に相当する大きさの表示領域を有する液晶表示パネルを備え、文字板や指針の画像を表示領域に表示して時刻を表示する態様や、液晶表示パネル等に時刻をデジタル表示する態様を含む。また、「環状」とは、全体が切れ目なくつながって輪になっていることをいい、輪（環）の形状は、円形や楕円の他、四角形等の多角形であってもよい。さらに、「給電素子」は、例えば、メッキや銀ペースト印刷等によって誘電体の表面に形成されてもよいし、インサート成形等によって誘電体の内部に埋設されてもよい。
【００１２】
本発明に係る腕装着型機器において、前記環状の基材を垂直方向から平面視したとき、前記第１及び第２の給電素子は、重ならない位置にそれぞれ配置されてもよい。この構成によれば、第１及び第２の給電素子が重なることによって、下方の給電素子の受信感度が低減されるのを回避でき、より確実に受信感度を確保することができる。
【００１３】
なお、本発明において、「重ならない」の意味には、例えば、給電素子が２つの場合に第１及び第２の給電素子がともに、環状の基材の中心点における各給電素子の両端のなす角度が１８０°以下のときには、基材の中心を通る径によって二分される半円弧内に、第１及び第２の給電素子がそれぞれ配置される状態が含まれる（図７Ａ及び図７Ｂ）。
【００１４】
また、給電素子が２つの場合には、給電素子両端のなす角度に関わらず、給電素子両端の中点が、基材中心を通る直径上に、基材中心を挟んで対向配置して、この直径を挟んで左右対称とすることができ（図７Ａ及び図７Ｃ）、このとき、それぞれの両端同士は等しく最大限に離間され、結果的に給電素子それぞれの中点が基材の中心点を挟んで対向配置されることとなる。ただし、本発明はこれに限定されるものではなく、第１及び第２の給電素子を、重複さえしなければ、直径を挟んで左右非対称とすることもでき（図７Ｂ及び図７Ｄ）、このときにも、各給電素子の両端のなす角度が１８０°以下のときには、基材の中心を通る径によって二分される半円弧内に、第１及び第２の給電素子がそれぞれ配置される状態が含まれ（図７Ｂ）、給電素子両端のなす角度に関わらず、一方の給電素子の両端から基材中心を通る２本の直線で区切られる、中心点を挟んだ反対側の円弧状領域において、他方の給電素子のいずれかの端部が含まれる状態となる（図７Ｄ）。
【００１５】
本発明に係る腕装着型機器において、導電性を有し、環状又は帯状の無給電素子が、前記第１及び第２の給電素子と離間して設けられてもよい。なお、本発明において「無給電素子」は、前記第１及び第２の給電素子と離間されて絶縁状態が維持されていればよく、例えば、前記基材とは別体の誘電体に形成されてもよく、前記基材上に前記第１及び第２とともに形成することもできる。また、この「無給電素子」は、上記給電素子と同様に、例えば、メッキや銀ペースト印刷等によって誘電体の表面に形成されてもよいし、インサート成形等によって誘電体の内部に埋設されてもよい。この構成によれば、環状の誘電体には、給電素子と無給電素子とが離間して設けられる。
【００１６】
この場合、給電素子に電流が流れると無給電素子にも電流が誘起されるので、給電素子と無給電素子とが電磁的に結合し、両者が一体となって電磁波を電流に変換するアンテナ素子として機能する。例えば、誘電体上に設けられた給電素子と無給電素子のうち、無給電素子の長さを受信対象となる電波に共振するように定めることで、給電素子の長さについては適宜設定することが可能になる。従って、アンテナ体（誘電体、給電素子）及び無給電素子と、アンテナ体に電気的に接続される回路との間のインピーダンスを容易に整合させることができる。また、無給電素子を給電素子に電磁的に結合させることでアンテナ体の共振周波数を下げてインピーダンス特性を改善することができる。このためアンテナ体の共振周波数を受信対象となる電波に合わせることで、共振周波数でのリターンロスを減らし、受信対象となる電波に対するアンテナ体の受信性能を高めることもできる。
【００１７】
また、本発明に係る腕装着型機器において、前記環状の基材を垂直方向から平面視したとき、前記第１の給電部は、前記第１の給電素子の領域内に配置され、前記第２の給電部は、前記第２の給電素子の領域内に配置されるとともに、前記第１及び第２の給電素子は、重ならない位置にそれぞれ配置されてもよい。
【００１８】
なお、本発明において、第１及び第２の給電部に関する「重ならない位置」としては、上記給電素子と同様に、例えば、基材の中心を通る径によって二分される半円弧内にそれぞれ配置される状態が含まれ、給電素子が２つの場合に第１及び第２の給電部を最大限に離間させるときには、結果的に基材中心を通る直径上に、基材の中心点を挟んで対向配置されることとなる。ただし、第１及び第２の給電部についても、重複さえしなければ、直径を挟んで左右非対称とすることもでき、このときには、一方の給電素子の両端から基材中心を通る２本の直線で区切られる、中心点を挟んだ反対側の円弧状領域において、他方の給電部が含まれる状態となる。
【００１９】
また、本発明に係る腕装着型機器において、前記第１の給電素子で受信された電波信号を処理する第１の無線ＩＣチップと、前記第２の給電素子で受信された電波信号を処理する第２の無線ＩＣチップとを備え、前記環状の基材を垂直方向から平面視したとき、前記第１及び第２の無線ＩＣチップは、前記環状の基材を二分した半円弧内にそれぞれ配置されてもよい。
【００２０】
また、本発明に係る腕装着型機器において、前記第１の給電素子の給電部又は第２の給電素子の給電部は、前記時刻表示部分の３時から９時までの範囲内に配置されて、位置情報衛星からの電波を受信することが好ましい。
【００２１】
また、本発明に係る腕装着型機器において、前記第１又は第２の給電素子のうち、受信電力が他方の給電素子よりも低い給電素子が前記時刻表示部分の３時から９時までの範囲内に配置されてもよい。
【００２２】
本発明に係るアンテナ体は、誘電体で形成された環状の基材と、誘電体で形成された環状の基材と、導電性を有し、第１の給電部から所定の電位が給電される帯状の第１の給電素子と、導電性を有し、第２の給電部から所定の電位が給電される帯状の第２の給電素子とを有することを特徴とする。
【００２３】
以上の構成によれば、受信電波の周波数や無線システム毎に、少なくとも２つのアンテナとして、第１及び第２の給電素子をそれぞれ設け、これらの給電素子を帯状（環状の一部を切り欠いた形状）とすることにより、共通の環状の基材上に配置することができる。この結果、基材の個数が増加するのを回避でき、複数の基材を設ける場合の厚みの増大や表示領域の低減を回避でき、視認性・装飾性も確保することができる。
【００２４】
本発明に係るアンテナ体において、前記環状の基材を垂直方向から平面視したとき、前記第１及び第２の給電素子は、重ならない位置にそれぞれ配置されてもよい。この構成によれば、第１及び第２の給電素子が重なることによって、下方の給電素子の受信感度が低減されるのを回避でき、より確実に受信感度を確保することができる。
【００２５】
なお、本発明において、「重ならない位置」としては、例えば、給電素子が２つの場合に第１及び第２の給電素子がともに、環状の基材の中心点における各給電素子の両端のなす角度が１８０°以下のときには、基材の中心を通る径によって二分される半円弧内に、第１及び第２の給電素子がそれぞれ配置される状態が含まれる（図７Ａ及び図７Ｂ）。また、給電素子が２つの場合には、給電素子両端のなす角度に関わらず、給電素子両端の中点が、基材中心を通る直径上に、基材中心を挟んで対向配置して、この直径を挟んで左右対称とすることができ（図７Ａ及び図７Ｃ）、このとき、それぞれの両端同士は等しく最大限に離間され、結果的に給電素子それぞれの中点が基材の中心点を挟んで対向配置されることとなる。ただし、本発明はこれに限定されるものではなく、第１及び第２の給電素子を、重複さえしなければ、直径を挟んで左右非対称とすることもでき（図７Ｂ及び図７Ｄ）、このときにも、各給電素子の両端のなす角度が１８０°以下のときには、基材の中心を通る径によって二分される半円弧内に、第１及び第２の給電素子がそれぞれ配置される状態が含まれ（図７Ｂ）、給電素子両端のなす角度に関わらず、一方の給電素子の両端から基材中心を通る２本の直線で区切られる、中心点を挟んだ反対側の円弧状領域において、他方の給電素子のいずれかの端部が含まれる状態となる（図７Ｄ）。
【００２６】
本発明に係るアンテナ体において、導電性を有し環状又は帯状の無給電素子が、前記第１及び第２の給電素子と離間して設けられてもよい。
【００２７】
なお、本発明において「無給電素子」は、前記第１及び第２の給電素子と離間されて絶縁状態が維持されていればよく、例えば、前記基材とは別体の誘電体に形成されてもよく、前記基材上に前記第１及び第２とともに形成することもできる。また、この「無給電素子」は、上記給電素子と同様に、例えば、メッキや銀ペースト印刷等によって誘電体の表面に形成されてもよいし、インサート成形等によって誘電体の内部に埋設されてもよい。この構成によれば、環状の誘電体には、給電素子と無給電素子とが離間して設けられる。
【００２８】
この場合、給電素子に電流が流れると無給電素子にも電流が誘起されるので、給電素子と無給電素子とが電磁的に結合し、両者が一体となって電磁波を電流に変換するアンテナ素子として機能する。例えば、誘電体上に設けられた給電素子と無給電素子のうち、無給電素子の長さを受信対象となる電波に共振するように定めることで、給電素子の長さについては適宜設定することが可能になる。従って、アンテナ体（誘電体、給電素子）及び無給電素子と、アンテナ体に電気的に接続される回路との間のインピーダンスを容易に整合させることができる。また、無給電素子を給電素子に電磁的に結合させることでアンテナ体の共振周波数を下げてインピーダンス特性を改善することができる。このためアンテナ体の共振周波数を受信対象となる電波に合わせることで、共振周波数でのリターンロスを減らし、受信対象となる電波に対するアンテナ体の受信性能を高めることもできる。
【図面の簡単な説明】
【００２９】
【図１】ＧＰＳを利用した時刻修正システムの構成を示す図である。
【図２】電子時計の平面図である。
【図３】電子時計の要部断面図である。
【図４】電子時計の要部分解斜視図である。
【図５】グランド板とケース胴を示す平面図である。
【図６Ａ】アンテナ体の構造の一例を説明するための図である。
【図６Ｂ】アンテナ体の構造の一例を説明するための図である。
【図６Ｃ】アンテナ体の構造の一例を説明するための図である。
【図７Ａ】給電素子の位置関係の一例を示す平面図である。
【図７Ｂ】給電素子の位置関係の一例を示す平面図である。
【図７Ｃ】給電素子の位置関係の一例を示す平面図である。
【図７Ｄ】給電素子の位置関係の一例を示す平面図である。
【図８】電子時計の回路構成を示すブロック図である。
【発明を実施するための形態】
【００３０】
以下、図面を参照しながら本発明に係る好適な実施の形態を説明する。なお、図面において各部の寸法や縮尺は実際のものと適宜異なる。また、以下に記載する実施の形態は、本発明の好適な具体例であるから技術的に好ましい種々の限定が付されているが、本発明の範囲は、以下の説明において特に本発明を限定する旨の記載がない限り、これらの形態に限られるものではない。
【００３１】
図１は、ＧＰＳを利用した時刻修正システムの構成を示す図である。
電子時計１００は、ＧＰＳ衛星２０からの電波（無線信号）を受信して時刻を修正する機能を備えた腕時計であり、腕に接触する面（以下、裏面）の反対側の面（以下、表面）に時刻を表示する。各ＧＰＳ衛星２０は、準同期軌道上を周回しており、Ｃ／Ａ（Ｃｏａｒｓｅ／Ａｃｑｕｉｓｉｔｉｏｎ）コードや航法メッセージを１．５７５４２ＧＨｚの電波（Ｌ１波）に重畳して地上に送信している。以降、本明細書では、Ｃ／Ａコードや航法メッセージが重畳された１．５７５４２ＧＨｚの電波を「衛星信号」と記載する。衛星信号は、例えば右旋偏波の円偏波である。
【００３２】
Ｃ／Ａコードは、ＧＰＳ衛星２０毎に固有の１０２３ビットの擬似雑音符号（Ｐｓｅｕｄｏ  Ｒａｎｄｏｍ  Ｎｏｉｓｅ  Ｃｏｄｅ）である。各ＧＰＳ衛星２０には原子時計が搭載されており、航法メッセージには、ＧＰＳ衛星２０が衛星信号を発信した時刻として、原子時計で計時された極めて正確な時刻情報（以下、ＧＰＳ時刻情報）が含まれている。また、地上のコントロールセグメントによって各ＧＰＳ衛星２０に搭載されている原子時計の時刻誤差が測定されており、航法メッセージには、時刻誤差を補正するための時刻補正パラメータも含まれている。この他、航法メッセージには、例えば、ＧＰＳ衛星２０の正確な軌道情報（エフェメリス）や、全てのＧＰＳ衛星２０の大まかな軌道情報（アルマナック）、ＵＴＣ（Ｃｏｏｒｄｉｎａｔｅｄ  Ｕｎｉｖｅｒｓａｌ  Ｔｉｍｅ：協定世界時）時刻系とＧＰＳ時刻系とのズレを示すＵＴＣオフセット、電離層補正パラメータ等が含まれている。
【００３３】
各ＧＰＳ衛星２０は、航法メッセージをＣ／Ａコードによってスペクトラム拡散した後、スペクトラム拡散した信号を１．５７５４２ＧＨｚの搬送波に乗算してＢＰＳＫ（Ｂｉｎａｒｙ  Ｐｈａｓｅ  Ｓｈｉｆｔ  Ｋｅｙｉｎｇ）変調することで衛星信号を生成する。また、電子時計１００は、ＧＰＳ衛星２０での信号生成とは逆の流れ（ＢＰＳＫ変調信号の復調→スペクトラム逆拡散）で、受信した衛星信号から航法メッセージを取り出す。スペクトラム拡散の際に用いたＣ／ＡコードはＧＰＳ衛星２０毎に異なるので、電子時計１００では、どのＧＰＳ衛星２０から送られてきた衛星信号なのかを識別することが可能である。
【００３４】
電子時計１００は、例えば、１基のＧＰＳ衛星２０から受信した衛星信号に含まれているＧＰＳ時刻情報や時刻補正パラメータ等を使用して、電子時計１００で計時されている時刻（以下、内部時刻）を正確な時刻に修正することができる。また、電子時計１００は、例えば、最低３基（通常は４基）以上のＧＰＳ衛星２０から衛星信号を受信し、その中に含まれている各ＧＰＳ衛星２０のＧＰＳ時刻情報や軌道情報（エフェメリス）等を使用して、電子時計１００の現在位置を示す位置情報（例えば緯度及び経度）を取得することができる。取得した位置情報は、例えば時差の補正等に利用される。
【００３５】
なお、電子時計１００では、衛星信号の到達時刻と衛星信号に含まれている発信時刻との差からＧＰＳ衛星２０との距離を算出し、３基以上の各ＧＰＳ衛星２０との距離に基づいて電子時計１００の現在位置を特定する。ただし、電子時計１００は、水晶振動子を使用しており原子時計のように高精度に時刻を計時することができない。時刻の誤差がたとえ１００万分の１秒であったとしても距離の誤差は３００ｍにも及んでしまう。このため電子時計１００では、通常４基以上のＧＰＳ衛星２０から衛星信号を受信し、内部時刻を修正しつつ位置情報を取得する。
【００３６】
図２は、電子時計１００の平面図である。
電子時計１００は、金属等の導電性材料で形成された円筒状のケース胴８０を備える。ケース胴８０の上側（表面側）には、セラミックやプラスチック等の非導電性材料で形成された円筒状のガラス縁８１が嵌合されており、ガラス縁８１の開口は、透明なカバーガラス８４で塞がれている。
【００３７】
ガラス縁８１の内側には、プラスチックやセラミック等の非導電性材料で形成された円環状のダイヤルリング８３が配置され、ダイヤルリング８３の内側には、円板状の文字板１１が配置されている。ダイヤルリング８３には、バータイプのインデックスが３０度おきに設けられており、各インデックスはその一部が文字板１１上に突出している。また、ダイヤルリング８３において隣り合うインデックス間には６度おきに目盛が刻まれている。なお、これらのインデックスや目盛を文字板１１に設けてもよいし、インデックスの代わりに”１”〜”１２”までの数字を設けてもよい。このようにダイヤルリング８３や文字板１１は、図示の態様に限定されない。文字板１１の上には、指針軸１２を中心に周回して現在時刻を指し示す指針１３（秒針１３ａ、分針１３ｂ及び時針１３ｃ）が設けられている。ユーザーは、カバーガラス８４を介して、ダイヤルリング８３、文字板１１及び指針１３を視認することができる。また、ダイヤルリング８３の下側（裏面側）には、円環状のアンテナ体４０が設けられている。
【００３８】
なお、電子時計１００の表示態様としては、文字板の上で指針軸を中心に指針を周回させて時刻を指し示す態様の他、例えば、文字板に相当する大きさの表示領域を有する液晶表示パネルを備え、文字板や指針の画像を表示領域に表示して時刻を表示する態様や、液晶表示パネル等に時刻をデジタル表示する態様を含む。また、「環状」とは、全体が切れ目なくつながって輪になっていることをいい、輪（環）の形状は、円形や楕円の他、四角形等の多角形であってもよい。
【００３９】
また、電子時計１００は、竜頭１６や操作ボタン１７，１８を備える。ユーザーは、竜頭１６や操作ボタン１７，１８を操作することで、電子時計１００の動作モードを時刻情報取得モードや位置情報取得モードに設定することができる。時刻情報取得モードは、少なくとも１基のＧＰＳ衛星２０から衛星信号を受信してＧＰＳ時刻情報や時刻補正パラメータを取得し、内部時刻を正確な時刻に修正する動作モードである。また、位置情報取得モードは、少なくとも３基以上のＧＰＳ衛星２０から衛星信号を受信して電子時計１００の位置情報を取得し、時差を反映させつつ内部時刻を正確な時刻に修正する動作モードである。なお、電子時計１００は、時刻情報取得モードや位置情報取得モードを定期的に自動実行することも可能である。
【００４０】
次に、電子時計１００の内部構造について説明する。
図３は電子時計１００の要部断面図であり、図４は電子時計１００の要部分解斜視図である。図３に示すように、円筒状のケース胴８０の上側（表面側）には円筒状のガラス縁８１が嵌合されており、ガラス縁８１の上側の開口は、円板状のカバーガラス８４で塞がれている。また、ケース胴８０の下側（裏面側）の開口は、ステンレスやチタン等の導電性材料で形成された裏蓋８５で塞がれている。ケース胴８０と裏蓋８５は、例えばスクリュー溝で固定されている。このように電子時計１００の外装ケースは、例えば、ケース胴８０と、ガラス縁８１と、カバーガラス８４と、裏蓋８５とで構成されている。
【００４１】
カバーガラス８４の下側には、ガラス縁８１の内周に沿って円環状のダイヤルリング８３が設けられている。ダイヤルリング８３は、外周側がガラス縁８１の内周面に接触する平坦部分となっており、内周側は内側に向かって傾斜する傾斜部分となっている。ダイヤルリング８３の下側にはドーナツ状の収納空間が設けられており、この収納空間に円環状のアンテナ体４０が収納されている。アンテナ体４０は文字板１１の周囲に配置されている。具体的にはケース胴８０やガラス縁８１の内周より内側に配置され、その上方がダイヤルリング８３で覆われている。
【００４２】
アンテナ体４０の下側には、金属等の導電性材料で形成された円環状のグランド板９０が設けられている。グランド板９０には、図４に示すように、給電ピン４４用の挿通孔９０ｂ、及び給電ピン４５用の挿通孔９０ｃの他に４個の孔が設けられており、４個の孔の各々には図示せぬ導通ピン９３が取り付けられている。なお、導通ピン９３を取り付けるための４個の孔は、グランド板９０の他に地板３８や回路基板２５の周縁部にも設けられている（図４参照）。
【００４３】
各導通ピン９３には、ＧＰＳ受信部２６等を含む回路ブロックのグランド電位が回路基板２５を介して供給されており、グランド板９０には計４個の導通ピン９３のそれぞれからグランド電位が供給されている。また、グランド板９０には、図４に示すように４個の導通ばね９０ａが形成されている。各導通ばね９０ａは、付勢力によってその一部がケース胴８０の内周面と接触しており、ケース胴８０と電気的に接続されている。従って、グランド電位は、グランド板９０（各導通ばね９０ａ）を介してケース胴８０にも供給されている。
【００４４】
また、詳細については後述するが、アンテナ体４０は、誘電体で形成された円環状の基材４０１と、基材４０１上に設けられた無給電素子４０２や給電素子４０３，４０７等によって構成されている（図６Ａ参照）。図４に示すように、アンテナ体４０の基材４０１とグランド板９０は円環の中心軸が同じであり、この中心軸は指針軸１２と一致する。また、図３に示すように、アンテナ体４０の基材４０１のＺ軸方向の幅をｈとしたとき、基材４０１とグランド板９０のＺ軸方向の離間間隔Δｄはｈ以下である。このようにアンテナ体４０の基材４０１とグランド板９０は、円環の中心軸が同じになり、かつＺ軸方向の離間間隔Δｄがｈ以下になるようにＺ軸方向に並べて配置されている。なお、アンテナ体４０（基材４０１）とグランド板９０の離間間隔Δｄをｈ以下にしたのは、グランド板９０と基材４０１上に設けられた給電素子４０３との間で共振を生じさせて電波（衛星信号）を受信するためである。離間間隔Δｄが大きくなり過ぎると両者の間で共振が生じず、電波を受信することができなくなる。
【００４５】
また、グランド板９０と基材４０１上に設けられた給電素子４０３との間で良好な共振を生じさせるためには、グランド板９０の外周サイズをアンテナ体４０の基材４０１の外周サイズよりも大きくすることが望ましい。また、グランド板９０のＸＹ平面における幅Ｗ２を、アンテナ体４０の基材４０１のＸＹ平面における幅Ｗ１よりも大きくすること望ましい（図４参照）。しかしながら、グランド板９０の外周サイズを基材４０１の外周サイズ以下にしてもよいし、グランド板９０の幅Ｗ２を基材４０１の幅Ｗ１以下にしてもよい。ただし、グランド板９０の外周サイズを基材４０１の外周サイズ以下にする場合は、少なくともグランド板９０の幅Ｗ２を基材４０１の幅Ｗ１の１／３以上にする必要がある。
【００４６】
アンテナ体４０の内側には、文字板１１及びソーラーパネル８７が設けられている。文字板１１は、プラスチック等の光透過性の非導電性材料で形成されている。また、ソーラーパネル８７は、光エネルギーを電気エネルギー（電力）に変換する複数のソーラーセル（光発電素子）を直列接続した円形の平板である。文字板１１及びソーラーパネル８７は重ねて配置され、その中央には指針軸１２が貫通する孔が設けられている。
【００４７】
ソーラーパネル８７の下側には、プラスチックやセラミック等の非導電性材料で形成された地板３８が設けられている。指針軸１２は、文字板１１、ソーラーパネル８７及び地板３８を貫通して表裏方向に延在している。指針軸１２は、文字板１１と垂直な方向から電子時計１００を見たとき（すなわち電子時計１００を平面視したとき）、電子時計１００の中心になる。また、指針１３（１３ａ〜１３ｃ）は、図３に示すようにアンテナ体４０の内周より内側で、カバーガラス８４と文字板１１との間に配置されている。
【００４８】
地板３８の下側には、図３に示すように、指針軸１２を回転させて指針１３を駆動する駆動機構３０が設けられている。駆動機構３０は、ステップモーターＭと、歯車等の輪列とを有し、ステップモーターＭが輪列を介して指針軸１２を回転させることにより指針１３を駆動する。例えば、時針１３ｃは１２時間で１周し、分針１３ｂは６０分で１周し、秒針１３ａは６０秒で１周する。日時刻表示部３２は、例えば、文字板１１と、指針軸１２と、指針１３（１３ａ〜１３ｃ）と、駆動機構３０とで構成されている。
【００４９】
地板３８及び駆動機構３０の下側には、回路基板２５が設けられている。この回路基板２５の下面（裏面側の面）には、ＧＰＳ受信部２６や近距離無線通信受信部６０等を含む回路ブロックが実装されている。ＧＰＳ受信部２６及び近距離無線通信受信部６０は、例えば１チップのＩＣモジュールで構成され、アナログ回路やデジタル回路が含まれる。表示制御部３６は、ＧＰＳ受信部２６や駆動機構３０の動作を制御する。情報処理部３１は、近距離無線通信受信部６０や表示部７０の動作を制御する。また、回路基板２５の下面には二次電池２７が配置されている（図３参照）。二次電池２７は、例えばリチウムイオン電池であり、ソーラーパネル８７が発電した電力で充電される。
【００５０】
また、回路基板２５には、グランド電位を供給するための配線パターンや、アンテナ体４０に給電する所定の電位を供給するための配線パターンが形成されている。給電ピン４４は、金属等の導電性材料で形成されたピン状のコネクタであり、コイルスプリングを内蔵している。給電ピン４４は、図４に示すように、地板３８及びグランド板９０に設けられた挿通孔３８ａ，９０ｂを介して回路基板２５の上面とアンテナ体４０の下面とを電気的に接続している。給電ピン４５は、図４に示すように、地板３８及びグランド板９０に設けられた挿通孔３８ｂ，９０ｃを介して回路基板２５の上面とアンテナ体４０の下面とを電気的に接続している。
【００５１】
給電ピン４４，４５の上端部は、コイルスプリングの付勢力によって、アンテナ体４０の下面（より具体的には、後述する結合部４０４，４０８）に接触している。また、給電ピン４４，４５の下端部は、コイルスプリングの付勢力によって、回路基板２５の上面（より具体的には、所定の電位を供給する配線パターンが形成された部分）に接触している。この給電ピン４４，４５を介してアンテナ体４０に所定の電位が給電される。
【００５２】
ＧＰＳ受信部２６、情報処理部３１、近距離無線通信受信部６０、及び表示制御部３６は、図３に示すように金属等の導電性材料で形成されたシールド板９１で覆われている。シールド板９１にはグランド電位が供給されており、グランド電位は、シールド板９１及び金属製の回路押え３９を介して裏蓋８５やケース胴８０にも供給されている。なお、上述したようにグランド電位は、回路基板２５及び各導通ピン９３を介してグランド板９０やケース胴８０にも供給されている。従って、グランド板９０には、回路基板２５及び各導通ピン９３を介した経路でグランド電位が供給される他、シールド板９１、回路押え３９、裏蓋８５、ケース胴８０及び各導通ばね９０ａを介した経路でもグランド電位が供給される。また、外装ケースのうちグランド電位が供給されるケース胴８０及び裏蓋８５は、グランドプレーンとして機能し、カバーガラス８４側から入射する衛星信号をアンテナ体４０に向けて反射させる。
【００５３】
なお、グランド電位の供給経路を構成する各部材（例えば、シールド板９１、回路押え３９、裏蓋８５、導通ピン９３、グランド板９０、導通ばね９０ａ等）は、部材間の接触面に金メッキや防錆用のメッキ処理が施されている。また、各導通ピン９３はネジ締め固定されている。これによりグランド電位の供給経路を構成する各部材間での接触抵抗を長期間に亘ってできるだけ低く抑えられるようにしている。
【００５４】
図５は、グランド板９０とケース胴８０を示す平面図である。
グランド板９０には、グランド板９０の円環の中心Ｃ（指針軸１２）から見て６時の方向に、給電ピン４４を挿通させるための挿通孔９０ｂが設けられている。また、グランド板９０には、グランド板９０の円環の中心Ｃ（指針軸１２）から見て１２時の方向に、給電ピン４５を挿通させるための挿通孔９０ｃが設けられている。また、グランド板９０には、中心Ｃから均等の角度（９０度）で４個の導通ピン９３が取り付けられており、それぞれの導通ピン９３からグランド電位が供給されている。また、グランド板９０の外周縁には、グランド板９０と一体的に形成された４個の導通ばね９０ａが中心Ｃから均等の角度（９０度）で設けられている。各導通ばね９０ａは付勢力によってその一部がケース胴８０の内周面に接触しており、これによりケース胴８０からも各導通ばね９０ａを介してグランド電位がグランド板９０に供給される。また、グランド板９０は、その中央に円形の開口部９０ｄを有する。
【００５５】
このようにグランド板９０には、グランド電位が供給される供給部が、導通ピン９３と導通ばね９０ａを合計すると計８箇所設けられている。従って、グランド板９０におけるグランド電位を安定させることができる。また、電子時計１００が腕に装着された場合には、裏蓋８５やケース胴８０等を介して人体をグランドとして活用することができるので、グランド電位の安定性をさらに高めることができる。
【００５６】
図６Ａ〜図６Ｃは、アンテナ体４０の構造を説明するための図であり、図７Ａ〜図７Ｄは、給電素子の位置関係を示す平面図である。
図６Ａはアンテナ体４０の斜視図であり、図６Ｂはアンテナ体４０の平面図である。また、図６Ｃは、アンテナ体４０を図６Ｂに示すＧ−ｇ線で切断した断面図である。
【００５７】
アンテナ体４０は、プラスチックやセラミック等の誘電体で形成された円環状の基材４０１と、基材４０１の表面に形成された無給電素子４０２と、所定の電位が給電される導電性の給電素子４０３，４０７及び結合部４０４，４０８とを備える。また、基材４０１は、その中央に円筒状の開口部４０６を有する。無給電素子４０２、給電素子４０３，４０７及び結合部４０４，４０８は、いずれも金属等の導電性材料で形成されており、例えばメッキや銀ペースト印刷等によって形成することができる。なお、無給電素子４０２、給電素子４０３，４０７及び結合部４０４，４０８を、インサート成形等によって誘電体の内部に埋設させてもよい。基材４０１の材料は、酸化チタン等の高周波で使用可能な誘電材料を樹脂に混ぜることで、比誘電率が５〜２０程度となるように調整されている。
【００５８】
図６Ｃに示すように、基材４０１は、上面Ｔ１、外周面Ｔ２、底面Ｔ３、傾斜面ＴＰ１及び傾斜面ＴＰ２によって囲まれた五角形の断面形状を有する。無給電素子４０２は上面Ｔ１に形成されており、給電素子４０３，４０７は傾斜面ＴＰ１に形成されている。また、結合部４０４，４０８は、傾斜面ＴＰ１、傾斜面ＴＰ２及び底面Ｔ３に亘って形成されている。結合部４０４のうち、傾斜面ＴＰ１側の端部は給電素子４０３に接続され、底面Ｔ３側の端部部分には給電ピン４４の上端部が接触している。従って、給電素子４０３には、給電ピン４４及び結合部４０４を介して所定の電位が供給される。結合部４０８のうち、傾斜面ＴＰ１側の端部は給電素子４０７に接続され、底面Ｔ３側の端部部分には給電ピン４５の上端部が接触している。従って、給電素子４０７には、給電ピン４５及び結合部４０８を介して所定の電位が供給される。一方、無給電素子４０２に対しては外部から何ら電位は給電されない。
【００５９】
また、図６Ａ及び図６Ｂに示すように、無給電素子４０２は、円環形状、すなわち無端のＯ型形状に形成されている。一方、給電素子４０３は、帯状（円環の一部を切り欠いた）の半円弧に形成されている。給電素子４０３は、位置情報衛星からの電波を受信する給電素子であり、ＧＰＳ衛星２０からの電波（衛星信号）に共振するアンテナ長を有する。また、半円弧状を有する給電素子４０３の中央部には結合部４０４が接続されている。図６Ｂに示すように、給電素子４０３のうち結合部４０４と接続された部分が、所定の電位が給電される給電部４０３ａになる。なお、給電部４０３ａは、給電素子４０３の中央部に設けられる態様に限らず、給電素子４０３のうち中央部以外の部分に設けられていてもよい。
【００６０】
給電素子４０７は、帯状（円環の一部を切り欠いた）の半円弧に形成されている。給電素子４０７は、近距離無線通信用の２．４ＧＨｚの電波に共振するアンテナ長を有する。また、半円弧状を有する給電素子４０７の中央部には結合部４０８が接続されている。図６Ｂに示すように、給電素子４０７のうち結合部４０８と接続された部分が、所定の電位が給電される給電部４０７ａになる。なお、給電部４０７ａは、給電素子４０７の中央部に設けられる態様に限らず、給電素子４０７のうち中央部以外の部分に設けられていてもよい。
【００６１】
本実施形態では、２つの給電素子のうち、受信電力が他方の給電素子よりも低い給電素子が文字板１１の６時の範囲内に配置される。具体的に、給電部４０３ａは、電子時計１００において６時の方向に設けられている。つまり、電子時計１００を平面視したとき、電子時計１００の中心（指針軸１２）から見て６時の方向に、給電部４０３ａ、結合部４０４及び給電ピン４４が設けられている。ただし、給電部４０３ａ、結合部４０４及び給電ピン４４の設置位置は、電子時計１００の中心から見て６時の方向に限定されず、例えば、８時の方向や１０時の方向、あるいは５時の方向や１時の方向に設けられていてもよい。
【００６２】
一方、給電部４０７ａは、電子時計１００において１２時の方向に設けられている。つまり、電子時計１００を平面視したとき、電子時計１００の中心（指針軸１２）から見て１２時の方向に、給電部４０７ａ、結合部４０８及び給電ピン４５が設けられている。ただし、給電部４０７ａ、結合部４０８及び給電ピン４５の設置位置は、電子時計１００の中心から見て１２時の方向に限定されず、例えば、８時の方向や１０時の方向、あるいは５時の方向や１時の方向に設けられていてもよい。
【００６３】
また、本実施形態において給電素子４０３，４０７は、図７Ａ〜図７Ｄに示すように、基材４０１を環の中心軸（指針軸１２）方向から平面視したとき、重ならない位置にそれぞれ配置される。ここで、重ならない位置とは、給電素子が２つの場合、給電素子４０３，４０７がともに、環状の基材４０１の中心点における各給電素子の両端のなす角度が１８０°以下のときには、基材４０１の中心を通る径によって二分される半円弧内に、給電素子４０３，４０７がそれぞれ配置される状態が含まれる（図７Ａ及び図７Ｂ）。
【００６４】
また、給電素子が２つの場合、給電素子両端のなす角度に関わらず、給電素子両端の中点が、基材４０１中心を通る直径上に、基材４０１中心を挟んで対向配置して、この直径を挟んで左右対称とすることができる（図７Ａ及び図７Ｃ）。このとき、それぞれの両端同士は等しく最大限に離間され、結果的に給電素子それぞれの中点が基材４０１の中心点を挟んで対向配置されることとなる。
【００６５】
ただし、本発明はこれに限定されるものではなく、給電素子４０３，４０７を、重複さえしなければ、直径を挟んで左右非対称とすることもでき（図７Ｂ及び図７Ｄ）、このときにも、各給電素子の両端のなす角度が１８０°以下のときには、基材４０１の中心を通る径によって二分される半円弧内に、給電素子４０３，４０７がそれぞれ配置される状態が含まれ（図７Ｂ）、給電素子両端のなす角度に関わらず、一方の給電素子の両端から基材４０１中心を通る２本の直線で区切られる、中心点を挟んだ反対側の円弧状領域において、他方の給電素子のいずれかの端部が含まれる状態となる（図７Ｄ）。
【００６６】
給電部４０３ａは、基材４０１を環の中心軸方向から平面視したとき、図７Ａ〜図７Ｄに示すように、給電素子４０３の領域内に配置される。また、給電部４０７ａは、基材４０１を環の中心軸方向から平面視したとき、図７Ａ〜図７Ｄに示すように、給電素子４０７の領域内に配置される。そして、各給電素子４０３，４０７は、相互に重ならない位置にそれぞれ配置される。
【００６７】
ここで、「重ならない位置」には、上記給電素子４０３，４０７と同様に、例えば、基材４０１の中心を通る径によって二分される半円弧内にそれぞれ配置される状態が含まれ、給電素子４０３，４０７が２つの場合に第１及び給電部を最大限に離間させるときには、結果的に基材４０１中心を通る直径上に、基材４０１の中心点を挟んで対向配置されることとなる。ただし、第１及び給電部についても、重複さえしなければ、直径を挟んで左右非対称とすることもでき、このときには、一方の給電素子４０３，４０７の両端から基材４０１中心を通る２本の直線で区切られる、中心点を挟んだ反対側の円弧状領域において、他方の給電部が含まれる状態となる。
【００６８】
また、  図６Ａ及び図６Ｂに示すように、環状又帯状（環状の一部を切り欠いた）の形状を有する導電性の無給電素子４０２は、給電素子４０３，４０７と離間して設けられており、いずれかの給電素子４０３に電流が流れると無給電素子４０２にも電流が誘起される。
【００６９】
つまり、無給電素子４０２と給電素子４０３，４０７いずれかの給電素子４０３に電流が流れると無給電素子４０２の離間間隔は、両者の間で電磁的な結合が可能になる距離に定められている。従って、給電素子４０３，４０７と無給電素子４０２とは、両者が一体となって電磁波を電流に変換するアンテナ素子として機能する。例えば、誘電体上に設けられた給電素子４０３，４０７と無給電素子４０２のうち、無給電素子４０２の長さを受信対象となる電波に共振するように定めることで、給電素子４０３，４０７の長さについては適宜設定することが可能になる。従って、アンテナ体４０（誘電体、給電素子４０３，４０７）及び無給電素子４０２と、アンテナ体４０に電気的に接続される回路との間のインピーダンスを容易に整合させることができる。また、無給電素子４０２がＯ型形状を有することから、アンテナ体４０は、全体としてＯ型形状のループアンテナとして機能する
本実施形態において電子時計１００では、所定の電位が給電される給電素子４０３と、グランド電位が供給されるグランド板９０との間で共振を生じさせ、この共振によってＧＰＳ衛星２０からの電波（衛星信号）を受信する。例えば、ＧＰＳ衛星２０からの衛星信号は１．５７５ＧＨｚであるので、１波長は約１９ｃｍになる。また、円偏波を受信するためには、波長の１．０〜１．２倍程度のアンテナ長が必要になるので、衛星信号を受信するためには約１９〜２４ｃｍのループアンテナが必要になる。このようなアンテナ長のループアンテナを腕時計の内部に収めようとすると、腕時計の大型化を招いてしまう。
【００７０】
例えば、比誘電率をεｒとしたとき、比誘電率がεｒの基材４０１を用いると、この基材４０１による波長短縮率は１／√εｒになる。つまり、比誘電率がεｒの誘電体を用いることで、アンテナ体４０の受信対象となる電波の波長を１／√εｒ倍に短縮することができる。上述したように基材４０１の比誘電率εｒは５〜２０程度であるので、基材４０１を備えない場合に比べ、アンテナ体４０のアンテナ長を約０．２２４（εｒ＝２０）〜０．４４７（εｒ＝５）倍に短縮することができる。
【００７１】
また、無給電素子４０２を給電素子４０３，４０７に電磁的に結合させることでアンテナ体４０の共振周波数を下げてインピーダンス特性を改善することができる。このためアンテナ体４０の共振周波数を受信対象となる電波に合わせることで、共振周波数でのリターンロスを減らし、受信対象となる電波に対するアンテナ体４０の受信性能を高めることもできる。このためアンテナ体４０の共振周波数を受信対象となる電波に合わせることで、共振周波数でのリターンロスを減らし、受信対象となる電波に対するアンテナ体４０の受信性能を高めることもできる。
【００７２】
なお、給電ピン４４，４５と結合部４０４，４０８との接触面や、給電ピン４４，４５と回路基板２５との接触面についても、金メッキや防錆用のメッキ処理を施すことで、接触抵抗を長期間に亘ってできるだけ低く抑えられるようにし、アンテナ体４０の受信性能が低下しないようにしている。また、本実施形態において、無給電素子４０２は、基材４０１状に形成させたが、基材４０１上にとともに形成する給電素子４０３，４０７と離間されて絶縁状態が維持されていればよく、例えば、基材４０１とは別体の誘電体に形成されてもよい。また、無給電素子４０２は、上記給電素子と同様に、例えば、メッキや銀ペースト印刷等によって誘電体の表面に形成されてもよいし、インサート成形等によって誘電体の内部に埋設されてもよい。
【００７３】
図８は、電子時計１００の回路構成を示すブロック図である。
【００７４】
電子時計１００は、ソーラーパネル８７と、定電位発生回路３３と、二次電池２７と、電圧検出回路３７と、レギュレーター３４，３５と、ＧＰＳ受信部２６と、表示制御部３６、日時刻表示部３２と、近距離無線通信受信部６０と、情報処理部３１と、表示部７０とを含んで構成されている。
【００７５】
ソーラーパネル８７は、充電制御回路２９を介して二次電池２７を充電する。二次電池２７は、レギュレーター３４を介して表示制御部３６、情報処理部３１に駆動電力を供給すると共に、レギュレーター３５を介してＧＰＳ受信部２６、及び近距離無線通信受信部６０に駆動電力を供給する。電圧検出回路３７は、二次電池２７の電圧を検出して表示制御部３６及び情報処理部３１に出力する。
【００７６】
定電位発生回路３３は、グランド電位に対して予め定められた電位差を有する所定の電位を生成する。定電位発生回路３３で生成された所定の電位は、回路基板２５及び給電ピン４４，４５を介してアンテナ体４０（給電素子４０３，４０７）に給電される。
【００７７】
アンテナ体４０は、ＧＰＳ衛星２０からの衛星信号を受信する。ただし、アンテナ体４０は衛星信号以外の不要な電波も若干受信してしまうため、アンテナ体４０の後段にはＳＡＷ（Ｓｕｒｆａｃｅ  Ａｃｏｕｓｔｉｃ  Ｗａｖｅ）フィルターを設けてもよい。ＳＡＷフィルターは、１．５ＧＨｚ帯の信号を通過させるバンドパスフィルターとして機能し、アンテナ体４０が受信した信号から衛星信号を抽出する。
【００７８】
ＧＰＳ受信部２６は、給電素子４０３で受信された電波信号を処理して、衛星信号の受信、ＧＰＳ衛星２０の捕捉、位置情報の生成、時刻修正情報の生成等に関する処理を行う。また、表示制御部３６は、ＧＰＳ受信部２６に対して制御信号を出力し、ＧＰＳ受信部２６の動作を制御する。また、表示制御部３６は、内部時刻の計時や修正、指針１３の運針等に関する処理を行う。
【００７９】
近距離無線通信受信部６０は、給電素子４０７で受信された電波信号を処理して、データ通信用のプロトコルによる近距離無線通信を実行する。具体的に近距離無線通信受信部６０は、メモリへのデータの書き込みやデータの読み取りを近距離で行うデバイスであり、パーソナルコンピュータやスマートフォン等の周辺機器との間でデータの送受信を可能とする。近距離無線通信受信部６０及びＧＰＳ受信部２６は、基材４０１を垂直方向（環の中心軸方向）から平面視したとき、無線ＩＣチップは、環状の基材４０１を二分した半円弧内にそれぞれ配置される。
【００８０】
また、表示制御部３６は、時刻情報取得モードや位置情報取得モードの場合にＧＰＳ受信部２６から時刻修正情報が出力されると、内部時刻を時刻修正情報に従って修正する。また、内部時刻を修正した場合、表示制御部３６は、修正後の内部時刻を指針１３（１３ａ〜１３ｃ）が指し示すように指針１３を駆動する。これにより電子時計１００の内部時刻が正確な時刻に修正される。特に位置情報取得モードの場合は、電子時計１００の現在位置に応じた時差を反映させつつ内部時刻を正確な時刻に修正することができる。また、表示制御部３６は、電圧検出回路３７の検出結果等に基づいてレギュレーター３４，３５や定電位発生回路３３の動作を制御する。
【００８１】
日時刻表示部３２は、表示制御部３６によって処理された日時刻情報を画面上に表示させる。本実施形態において、日時刻表示部３２は、文字板１１と、指針１３とである。
【００８２】
情報処理部３１は、近距離無線通信などの無線通信によるデータの送受信を制御する。表示部７０は、情報処理部３１によって処理されたデータ送受信に関する情報を画面に表示させる。
【００８３】
以上説明したように本実施形態によれば、受信電波の周波数や無線システム毎に、少なくとも２つのアンテナとして、給電素子４０３，４０７をそれぞれ設け、これらの給電素子を帯状の形状とすることにより、共通の環状の基材４０１上に配置することができる。この結果、基材４０１の個数が増加するのを回避でき、複数の基材４０１を設ける場合の厚みの増大や表示領域の低減を回避でき、視認性・装飾性も確保することができる。また、無線ＩＣチップは、給電部から給電ピン等を介してアンテナ体４０から分離して文字板等の文字板１１の視認方向下側に配置することができるため、受信感度を確保しつつ、装飾性の低下を回避することができる。
【００８４】
また、本実施形態によれば、環状の基材４０１を垂直方向（環の中心軸方向）から平面視したとき、給電素子４０３，４０７は、重ならい位置にそれぞれ配置される。この構成によれば、給電素子４０３，４０７が重なることによって、下方の給電素子の受信感度が低減されるのを回避でき、より確実に受信感度を確保することができる。
【００８５】
本実施形態によれば、無給電素子４０２が給電素子４０３，４０７と離間して設けられているので、給電素子４０３，４０７に電流が流れると無給電素子４０２にも電流が誘起されるので、給電素子４０３，４０７と無給電素子４０２とが電磁的に結合し、両者が一体となって電磁波を電流に変換するアンテナ素子として機能する。例えば、誘電体上に設けられた給電素子４０３，４０７と無給電素子４０２のうち、無給電素子４０２の長さを受信対象となる電波に共振するように定めることで、給電素子４０３，４０７の長さについては適宜設定することが可能になる。従って、アンテナ体４０（誘電体、給電素子４０３，４０７）及び無給電素子４０２と、アンテナ体４０に電気的に接続される回路との間のインピーダンスを容易に整合させることができる。
【００８６】
また、無給電素子４０２を給電素子４０３，４０７に電磁的に結合させることでアンテナ体４０の共振周波数を下げてインピーダンス特性を改善することができる。このためアンテナ体４０の共振周波数を受信対象となる電波に合わせることで、共振周波数でのリターンロスを減らし、受信対象となる電波に対するアンテナ体４０の受信性能を高めることもできる。
【００８７】
また、本実施形態において、環状の基材４０１を垂直方向から平面視したとき、給電部４０３ａは、給電素子４０３の領域内に配置され、給電部４０７ａは、給電素子４０７の領域内に配置されるとともに、給電素子４０３，４０７は、相互に重ならない位置にそれぞれ配置される。
【００８８】
また、本実施形態において、給電素子４０３で受信された電波信号を処理する無線ＩＣチップであるＧＰＳ受信部２６と、給電素子４０７で受信された電波信号を処理する無線ＩＣチップである近距離無線通信受信部６０とを備え、環状の基材４０１を垂直方向から平面視したとき、ＧＰＳ受信部２６及び近距離無線通信受信部６０は、環状の基材４０１を二分した半円弧内にそれぞれ配置される。
【００８９】
また、給電素子のうち、受信電力が他方の給電素子よりも低い給電素子４０３が文字板１１分の６時の範囲内に配置される。本実施形態では、給電素子４０３は、その給電部４０３ａが文字板１１の６時の位置に配置されて、位置情報衛星からの電波を受信する。これによれば、装着者が腕時計をした腕を下げている姿勢のときに、アンテナ利得の大きい方向と一致することとなり、受信性能が十分に発揮される。なお、給電素子４０３を３時から９時の範囲（６時側）に配置してもよい。この場合であっても、給電素子４０３を９時から３時までの範囲（１２時側）に配置する場合と比較して、位置情報衛星からの電波の受信感度を向上させることができる。
【００９０】
本発明は、上述した実施形態に限定されるものではなく、例えば以下に述べる変形が可能である。また、以下に示す２以上の変形を適宜組み合わせることもできる。
【００９１】
［変形例１］
グランド板９０は、導通ピン９３と導通ばね９０ａのうち導通ピン９３のみを備える構成であってもよい。また、これとは逆に、導通ばね９０ａのみを備える構成であってもよい。
【００９２】
［変形例２］
導通ピン９３や導通ばね９０ａは、４個に限らず１個以上であればよいし、中心Ｃから均等の角度で設けられていなくてもよい。また、導通ばね９０ａとグランド板９０を別体とし、ネジ等を用いてグランド板９０に導通ばね９０ａを取り付けてもよい。また、グランド板９０とは別部材の導通ばねをシールド板９１と共に回路基板２５の下面側に導通ピン９３で固定してもよい。また、グランド板９０は、非導電性材料で形成された円環状の板材の表面に導電性皮膜を形成したものであってもよい。
【００９３】
［変形例３］
図６Ａに示したアンテナ体４０において、無給電素子４０２は、無端のＯ型形状に限らず、給電素子４０３と同様に切欠部を有するＣ型形状に形成されてもよい。即ち、無給電素子４０２の形状は、環状であってもよいし、又は帯状であってもよい。この場合、アンテナ体４０は全体としてＣ型形状のループアンテナとして機能する。また、上述した実施形態では、給電素子４０３の長さを衛星信号に共振するように定める場合を例示したが、無給電素子４０２の長さを衛星信号に共振するように定めてもよい。この場合、給電素子４０３の長さ等を調整することで、アンテナ体４０と、アンテナ体４０に電気的に接続される回路（ＧＰＳ受信部２６や近距離無線通信受信部６０を含む回路ブロック）との間のインピーダンスを容易に整合させることができる。
また、上述したように無給電素子４０２は、環状の基材４０１に形成されたが、本発明はこれに限定されるものではなく、他の部材に形成されてもよい。
【００９４】
［変形例４］
給電ピン４４の代わりに、板ばね、リード線、同軸ケーブル、フレキシブル基板等を使用してアンテナ体４０の結合部４０４と回路基板２５とを電気的に接続し、所定の電位を給電してもよい。
【００９５】
［変形例５］
秒針１３ａはなくてもよい。また、時刻表示部は、文字板１１の上で指針１３を周回させて時刻を指し示す態様の他、例えば、文字板１１に相当する大きさの表示領域を有する液晶表示パネルを備え、文字板１１や指針１３の画像を表示領域に表示して時刻を表示する態様であってもよい。
【００９６】
［変形例６］
アンテナ体４０（基材４０１）とグランド板９０は、必ずしも中心軸が一致するように配置されている必要はない。要は、電子時計１００を平面視したとき（基材４０１及びグランド板９０を円環の中心軸方向から平面視したとき）、基材４０１の開口部４０６とグランド板９０の開口部の少なくとも一部が重なるように両者が配置されていればよい。また、アンテナ体４０（基材４０１）とグランド板９０の離間間隔Δｄは、グランド板９０と給電素子４０３との間で共振を生じさせることが可能な距離以下であればよい。
【００９７】
［変形例７］
上述した実施形態では、外装ケースの側面をケース胴８０とガラス縁８１で構成した場合を例示したが、外装ケースの側面は、セラミックやプラスチック等の非導電性材料で形成された１つの部材で構成されてもよい。また、ソーラー充電以外の充電方式を採用してもよい。例えば、充電コイルを備え、外部充電器から電磁誘導で電力を充電できるようにしてもよい。また、二次電池２７に代えてリチウム電池等の１次電池を用いてもよい。
【００９８】
［変形例８］
ＧＰＳの代わりに、ガリレオ（ＥＵ）、ＧＬＯＮＡＳＳ（ロシア）、北斗（中国）、ＩＲＮＳＳ（インド）等の全地球航法衛星システム（ＧＮＮＳ）を利用してもよいし、静止衛星型衛星航法補強システム（ＳＢＡＳ）や準天頂衛星システム（ＱＺＳＳ）を利用してもよい。このように本発明に係る腕装着型機器は、ＧＰＳ衛星２０以外の人工衛星からの電波を受信して内部時刻の修正等を行ってもよい。また、本発明に係る腕装着型機器は、人工衛星からの電波に限らず、例えば、無線タグ用の９００ＭＨｚ帯の電波を受信する電子時計であってもよい。
【００９９】
［変形例９］
本発明に係る腕装着型機器は、腕時計に限らず、懐中時計や置き時計であってもよい。また、電子時計機能を有する各種の電子機器（例えば携帯電話機やデジタルカメラ等）に本発明を適用してもよい。
【０１００】
［変形例１０］
上述した実施形態では、２つの給電素子として、ＧＰＳ用と近距離無線通信用とを用いたが、本発明はこれに限定するものではなく、他の無線通信用のアンテナ（例えば、９００ＭＨｚ帯のサブギガ帯や、ＮＦＣ（近距離無線通信））を組み合わせて用いてもよい。
【符号の説明】
【０１０１】
１００…電子時計、１１…文字板、１２…指針軸、１３（１３ａ，１３ｂ，１３ｃ）…指針、２５…回路基板、２６…ＧＰＳ受信部、３１…情報処理部、３２…日時刻表示部、３６…表示制御部、３８…地板、４０…アンテナ体、４４，４５…給電ピン、６０…近距離無線通信受信部、７０…表示部、４０１…基材、４０２…無給電素子、４０３，４０７…給電素子、４０３ａ，４０７ａ…給電部、４０４，４０８…結合部、４０６…開口部、８１…ガラス縁、８５…裏蓋、９０…グランド板、９０ａ…導通ばね（供給部）、９０ｂ，９０ｃ…挿通孔、９０ｄ…開口部、９３…導通ピン（供給部）、Ｃ…中心、Ｔ１…上面、Ｔ２…外周面、Ｔ３…底面、Ｔ４…内周面、ＴＰ１，ＴＰ２…傾斜面。
【図１】
0006686441.tif 000002
【図２】
0006686441.tif 000003
【図３】
0006686441.tif 000004
【図４】
0006686441.tif 000005
【図５】
0006686441.tif 000006
【図６Ａ】
0006686441.tif 000007
【図６Ｂ】
0006686441.tif 000008
【図６Ｃ】
0006686441.tif 000009
【図７Ａ】
0006686441.tif 000010
【図７Ｂ】
0006686441.tif 000011
【図７Ｃ】
0006686441.tif 000012
【図７Ｄ】
0006686441.tif 000013
【図８】
0006686441.tif 000014